(57)【要約】【課題】ユーザの嗜好情報に基づいて受信可能な放送局から番組を選択して再生できるようにする。【解決手段】放送局からの放送と当該放送に関するＥＰＧデータとを受信しうる放送受信部６と、嗜好情報を入力するための入力操作部１８と、番組を選択して所定の番組順序を有するプレイリストを作成するプレイテーブル作成部１４と、前記プレイリストに従って前記放送受信部６で受信する放送を制御するチャンネル管理部９と、前記放送の受信感度に基づいて受信可能な放送局を検索する放送受信監視部３と、放送受信監視部３にて検索された受信可能な放送局の放送に関するＥＰＧデータを取得して、当該ＥＰＧデータと前記嗜好情報とに基づいて前記プレイリストを再作成するプレイテーブル更新部１５とをそなえて構成する。【選択図】図１
2007181104.tif 000002
【特許請求の範囲】
【請求項１】
放送局からの放送を受信して再生する移動可能な放送受信装置であって、
前記放送と当該放送に関する電子番組表データとを受信しうる受信部と、
前記放送に関する少なくとも１つの嗜好情報を入力するための嗜好情報入力部と、
放送番組を選択して所定の放送番組順序を有するプレイリストを作成するプレイリスト作成部と、
該プレイリスト作成部によって作成された前記プレイリストに従って該受信部で受信する放送を制御する受信放送制御部と、
受信可能な放送局を検索する放送局検索部と、
該放送局検索部にて検索された放送局の放送に関する電子番組表データを取得して、当該電子番組表データと前記嗜好情報とに基づいて前記プレイリストを再作成するプレイリスト更新部とを備えたことを特徴とする、放送受信装置。
【請求項２】
該嗜好情報入力部により入力される前記嗜好情報が、予め定められた優先順位を有し、
該プレイリスト作成部が、その優先順位に基づいてプレイリストを作成することを特徴とする、請求項１記載の放送受信装置。
【請求項３】
該放送局検索部が、
放送電波の受信感度に基づいて移動に伴う受信可能な放送局の変化を監視する放送局監視部をそなえ、
該プレイリスト更新部が、
該放送局監視部により前記受信可能な放送局の変化が検出されると、変化後の放送局の放送についての前記電子番組表データを当該放送局から取得する電子番組表データ再取得部をそなえて構成されたことを特徴とする、請求項１または請求項２に記載の放送受信装置。
【請求項４】
該プレイリスト作成部及び該プレイリスト更新部が、
前記電子番組表データから選択した選択した複数の放送番組の放送時間が重複している場合に、時間的に先行する番組と時間的に後続の番組との重複時間と、所定の時間とを比較した結果に基づいて前記プレイリストを作成すべく構成されたことを特徴とする、請求項１ないし請求項３のいずれか1項に記載の放送受信装置。
【請求項５】
該プレイリスト作成部及び該プレイリスト更新部が、
ある時間帯において前記電子番組表データから所望の放送番組が得られない場合には、前記時間帯の直前に選択された放送番組のチャンネルと同じチャンネルを該受信放送制御部によって選択されるように前記プレイリストを作成すべく構成されたことを特徴とする、請求項１ないし請求項３のいずれか1項に記載の放送受信装置。
【発明の詳細な説明】
【技術分野】
【０００１】
本発明は、放送局からの放送を受信して再生する移動可能な放送受信装置に関し、例えば、カーオーディオシステムやカーナビゲーションシステム等の車載機器、さらには携帯電話やＰＤＡ（Personal Digital Assistance）端末、携帯型ＴＶ等の移動端末に用いて好適な放送受信装置に関する。
【背景技術】
【０００２】
放送局から放送される放送番組（以下、単に番組という）を聴く利用者には、好きなアーティストが出演する番組や、聴きたいジャンルの曲を多く流す番組等、番組を選んで聴く利用者が多い。このことは、利用者が車両などで移動しながら番組を聴く場合でも同様であるが、車両などで移動しながら番組を聴く場合において、特に聴きたい番組がないようなときは、現在選択されている放送局（チャンネル）を変えずにそのまま放送させておくことが多い。
【０００３】
したがって、利用者が、車両などで移動しながら番組を聴く場合、聴きたい番組の時間になった場合、あるいは、利用者が聴きたくない番組の時間になった場合に、チャンネルを変えることが多いが、車両などの運転中にチャンネルを変更する操作を行なうことは、煩わしく、運転環境の快適性を妨げるものである。
なお、テレビジョン（ＴＶ）放送に関しては、ＴＶ放送局から放送される番組を家庭用のＴＶ受像機等で視聴する場合、ＴＶ放送局から予め電子番組表（ＥＰＧ：Electric Program Guide）データを受信しておき、予め設定しておいた利用者の嗜好（好みの出演者やジャンル等）に合う放送番組を当該ＥＰＧデータから検索して、利用者が視聴したい番組を選択的に録画予約することで、利用者の嗜好に合わせて自動的にチャンネルを切り替えて番組を録画する装置や方法が知られている。
【０００４】
例えば、後記特許文献１には、放送局側がＴＶ番組のデータにＥＰＧデータを重畳してユーザ側に送信し、ユーザ側では、予めユーザ（視聴者）の嗜好に合うジャンルや出演者名などを予約条件として設定しておくことによって、ユーザの嗜好に合う番組を自動的に検索して録画予約する方法が開示されており、さらに、優先順位付きの予約情報を用いて番組を検索することにより、検索した番組が同時間帯に重複した場合においても、優先順位の高い予約情報を用いて検索された番組を録画予約することにより、検索された番組が同時間帯に重複した場合であっても自動録画予約を可能にする方法が開示されている。
【０００５】
また、特許文献２には、ユーザの過去の視聴履歴に基づいて求められる優先順位を用いてＥＰＧデータに含まれる番組内容情報を解析することにより、多数のチャンネルの中からユーザが視聴を希望すると思われる番組のみを時間軸に対して一次元に表示する方法が開示されている。
さらに、特許文献３には、放送の無信号状態を検出した場合に、予め設定しておいたユーザの嗜好に合う番組のジャンルに基づいて、現在放送中の番組の中からユーザの嗜好に合ったジャンルの番組を検索して再生する方法が開示されている。
【特許文献１】特開２０００−２９５５５４号公報
【特許文献２】特開２０００−３３３０８５号公報
【特許文献３】特開２００３−１８４８４号公報
【発明の開示】
【発明が解決しようとする課題】
【０００６】
上述したように、利用者が番組を視聴する場合には、利用者は、嗜好に合わせて番組を選択して視聴することが多く、このことは、車両などを運転しながら番組を視聴する場合でも同様である。
しかしながら、利用者が移動する場合等、視聴したい番組の電波を放送局から受信できない場合もあり、このようなときには、予め設定しておいた利用者の嗜好に合った番組を再生できないという課題もある。
【０００７】
本発明は、これらの課題に鑑みて創案されたもので、放送受信装置を手動で操作することなく利用者の嗜好に合った番組を自動的に選択受信して再生でき、さらに、移動中に視聴中の放送番組を受信できなくなった場合等でも、利用者の手を煩わすことなく、再度、利用者の嗜好に合った番組を自動的に選択受信して再生できるようにすることを目的とする。
【課題を解決するための手段】
【０００８】
上記の目的を達成するため、本発明では、下記の放送受信装置を用いることを特徴としている。即ち、
（１）本発明の放送受信装置は、放送局からの放送を受信して再生する移動可能な装置であって、前記放送と当該放送に関する電子番組表データとを受信しうる受信部と、前記放送に関する少なくとも１つの嗜好情報を入力するための嗜好情報入力部と、放送番組を選択して所定の放送番組順序を有するプレイリストを作成するプレイリスト作成部と、プレイリスト作成部によって作成された前記プレイリストに従って受信部で受信する放送を制御する受信放送制御部と、前記放送の受信感度に基づいて受信可能な放送局を検索する放送局検索部と、放送局検索部にて検索された放送局の放送に関する電子番組表データを取得して、当該電子番組表データと前記嗜好情報とに基づいて前記プレイリストを再作成するプレイリスト更新部とを備えたことを特徴としている。
【０００９】
（２）ここで、前記嗜好情報入力部により入力される前記嗜好情報は、予め定められた優先順位を有し、前記プレイリスト作成部が、その優先順位に基づいてプレイリストを作成するようにしてもよい。
（３）さらに、前記放送局検索部は、移動に伴う受信可能な放送局の変化を監視する放送局監視部をそなえ、前記プレイリスト更新部は、この放送局監視部により前記受信可能な放送局の変化が検出されると、変化後の放送局の放送についての前記電子番組表データを当該放送局から取得する電子番組表データ再取得部をそなえて構成されてもよい。
【００１０】
（４）また、前記プレイリスト作成部及び前記プレイリスト更新部は、前記電子番組表データから選択した選択した複数の放送番組の放送時間が重複している場合に、時間的に先行する番組と時間的に後続の番組との重複時間と、所定の時間とを比較した結果に基づいて前記プレイリストを作成すべく構成されてもよい。
（５）さらに、前記プレイリスト作成部及び前記プレイリスト更新部は、ある時間帯において前記電子番組表データから所望の放送番組が得られない場合には、前記時間帯の直前に選択された放送番組のチャンネルと同じチャンネルを前記受信放送制御部によって選択されるように前記プレイリストを作成すべく構成されてもよい。
【発明の効果】
【００１１】
上記本発明によれば、少なくとも次のいずれかの効果ないし利点が得られる。
（１）作成された、また、受信可能で利用者の嗜好に応じて更新されたプレイリストに従って自動的に受信する放送（チャンネル）が切り替えられて番組が再生されるので、車両などで移動中（運転中）においても、利用者はチャンネル切り替え操作に気を使う必要がなく（運転中の手動操作が必要なく）、運転環境の快適性の向上を図ることができる。
【００１２】
（２）また、利用者の嗜好情報に基づいて作成されたプレイリストに従って番組が自動再生されるので、利用者は運転に集中しながら嗜好に合った番組を視聴することができ、運転環境の快適性の向上をさらに図ることができる。
（３）また、利用者の嗜好情報に優先順位をつけてプレイリストを作成することもできるので、複数の番組の放送時間帯が重複している場合においても、利用者の嗜好に合った番組を自動的に選択でき、利用者は、番組選択のために煩わしい操作をすることなく嗜好に合った番組を視聴することができる。
【００１３】
（４）さらに、番組が重複している時間帯の長さに応じてプレイリストの作成方法を変更することもできるので、例えば、番組終了間際の（スポンサー紹介などの）利用者にとって不要と感じられる放送部分にさしかかったときに、利用者が放送受信装置を手動操作することなく自動的に受信する放送番組（チャンネル）を変えることができ、利用者にとっての利便性も向上させることができる。
【００１４】
（５）また、利用者が聴取したい番組が特にない（利用者の嗜好情報にマッチする番組が電子番組表データから得られなかった）場合には、チャンネルを変更しない（それまでに選択されているチャンネルを維持する）こともできるので、不必要なチャンネル変更操作を抑制することができ、利用者の手動操作をさらに減少させることができる。
（６）また、移動に伴って現在位置から受信可能な放送局が変化した場合、現在位置から受信可能な放送局を監視しておくこともでき、プレイリストに登録されている番組を受信できなくなった場合に、周辺の放送局を検索して電子番組表データを再取得してプレイリストを再作成（更新）するようにすることもでき、放送局のカバーエリア（サービスエリア）が異なる地域間を車両などで移動する場合であっても、上述した効果ないし利点を確実に得ることができる。
【発明を実施するための最良の形態】
【００１５】
以下、本発明の放送受信装置について、図面を用いて説明する。なお、当該放送受信装置は、例えば、カーオーディオシステムやカーナビゲーションシステム等の車載機器に適用できるほか、将来的には、携帯電話やＰＤＡ（Personal Digital Assistance）端末、携帯型ＴＶ等の移動端末に適用することも可能である。
（１）一実施形態の説明
図１は、本発明の一実施形態に係る放送受信装置の要部の構成を示すブロック図である。
【００１６】
この図１に示すように、本実施形態の放送受信装置は、例えば、系列局情報データベース（ＤＢ）１と、第１受信アンテナ２と、放送局監視部４を有する放送受信監視部３と、第２受信アンテナ５と、放送受信部６と、電子番組表蓄積部７と、時計８と、チャンネル管理部９と、電子番組表検索部１０と、スピーカ１１と、再生制御部１２と、プレイテーブル蓄積部１３と、プレイテーブル作成部１４と、ＥＰＧデータ再取得部１６を有するプレイテーブル更新部１５と、ディスプレイ（表示装置）１７と、入力操作部１８と、嗜好情報蓄積部１９とをそなえて構成される。
【００１７】
ここで、系列局情報データベース１は、放送局同士の系列局関係に関する情報が予め保存されているものであり、例えば、或る放送局の系列局はどの放送局であるか等の情報が関連付けられて保持されている。なお、ここでいう系列局とは、例えば、在京キー局の電波を直接受信できない地方で、キー局の電波を増幅して再送信（中継送信）することを主目的とした局（ローカル局）を意味する。
【００１８】
第１受信アンテナ２は、主に放送局からの放送電波の受信強度を監視するために用いられるものであり、第２受信アンテナ５は、主に前記放送電波と当該放送電波に重畳して（あるいは、放送電波とは独立して送信されてくる）ＥＰＧデータとを受信するために用いられるものである。なお、これらの受信アンテナ２，５は１本の受信アンテナとして共用化されてもよい。
【００１９】
放送受信監視部（放送局検索部）３は、受信アンテナ２で受信される放送電波を監視して、現在位置から受信可能な放送局を検索することができるもので、例えば、或る放送局からの放送電波を受信できなくなった場合（受信放送電波が所定の受信強度に満たない場合も含む）に、現在受信可能な放送局（例えば、その放送局の系列局）を前記系列局データベース１から検索することができるようになっている。
【００２０】
そのため、当該放送局検索部３は、放送局監視部４を有しており、この放送局監視部４は、第１受信アンテナ２での受信電波の受信強度を所定周期（例えば、５〜１０分間隔）で監視するもので、例えば、或る放送局からの放送電波の受信強度が所定の強度よりも小さいことが検出されると、その放送局からの放送を良好に受信できないと判定して、前記放送局検索部３によって、現在受信可能な放送局を検索させるようになっている。なお、放送局の識別は、例えば、放送電波の周波数の相違によって可能である。
【００２１】
放送受信部６は、第２受信アンテナ５で受信された放送電波及びＥＰＧデータを解析（デコード処理）するもので、例えば、放送電波についてはチューナにより復調、デコード処理してチャンネル管理部９へ出力され、また、ＥＰＧデータについては復調、デコード処理後に電子番組表蓄積部７に保存されるようになっている。なお、上記デコード処理は不要な場合もある。
【００２２】
電子番組表蓄積部７は、放送受信部６からのＥＰＧデータを、例えば、日時毎に分類して保存するもので、ＨＤＤ（Hard Disk Drive）等の所要の記憶装置を用いて実現することができる。
時計８は、現在時刻を計時して表示する等の機能を具備し、当該機能を用いて現在時刻が、プレイテーブル作成部１４によって作成（あるいは、プレイテーブル更新部１５によって更新）されたプレイテーブル（以下、プレイリストともいう）に登録されている番組の放送時間となったことをチャンネル管理部９へと通知できるようになっている。
【００２３】
チャンネル管理部（受信放送制御部）９は、受信、再生する放送のチャンネル（周波数）を管理（制御）するもので、本例では、現在受信可能な放送局の情報を放送局検索部３から受けて、時計８と、前記プレイリストとに基づいて、当該プレイリストに登録された番組をその放送時間に受信、再生できるようにチャンネル切り替え制御を行なえるようになっている。
【００２４】
電子番組表検索部１０は、電子番組表蓄積部７に保存されているＥＰＧデータから利用者（以下、ユーザともいう）の嗜好情報（入力操作部１８により入力（設定）される）に合った番組を検索（ピックアップ）するものであり、ここで検索された番組に基づいてプレイテーブル作成部１４においてユーザ所望のプレイリストが作成される。
プレイテーブル作成部（プレイリスト作成部）１４は、ユーザの嗜好情報（優先順位等）と電子番組表検索部１０による番組の検索結果とに基づいて、ユーザ所望のプレイリストを作成するもので、ここで作成したプレイリストをプレイテーブル蓄積部１３に保存するものである。なお、このプレイテーブル作成部１４は、プレイリスト作成処理に伴う各種の判定機能を有しており、例えば、後述するように、嗜好情報の優先順位の高低を判定したり、放送時間帯の重複している複数の番組について、変更許容時間とその重複時間とを比較、判定したりすることも可能になっている。
【００２５】
プレイテーブル更新部（プレイリスト更新部）１５は、前記プレイリストを更新するもので、本例では、ＥＰＧデータ再取得部１６をそなえており、このＥＰＧデータ再取得部１６は、放送局監視部４において、プレイリストに登録された番組の受信強度が所定の強度よりも小さいと判定された場合に、放送局検索部３により系列局情報データベース１から検索された受信可能な放送局からＥＰＧデータを再度受信するものである。
【００２６】
そして、プレイテーブル更新部１５は、ＥＰＧデータ再取得部１６により再度受信されたＥＰＧデータとユーザの嗜好情報とに基づいて、プレイリストを更新（再作成）するものである。
なお、このプレイテーブル更新部１５は、前記放送局監視部４が、放送受信部６と独立して動作することによって、プレイリストに登録された番組が受信不能と判定された時点で受信可能な放送局を検索するようにして、すぐにプレイリストを更新する機能をそなえている。即ち、図１に示すように、受信電波監視用の第１受信アンテナ２及び放送電波受信用の第２受信アンテナ５を個別にそなえて構成することにより、放送電波について復調、デコード処理を待たずに、番組が受信不能であるか否かを判定できるので、プレイリストの更新処理を高速化することができる。なお、第１受信アンテナ２と第２受信アンテナ５とを１機のアンテナで兼用するようにしてもよく、この場合には、装置の省スペース化を図ることが可能となる。
【００２７】
プレイテーブル蓄積部（プレイリスト蓄積部）１３は、プレイテーブル作成部１４により作成されたプレイリストを保存しておくものであり、例えば、プレイリストを日時毎又は利用者毎に分類して保存できるようになっている。
スピーカ１１及びディスプレイ１７は、再生制御部１２によって制御され、チャンネル管理部９によって選択された放送局から放送されている番組（画像、音声）を再生出力するものである。なお、ディスプレイ１７は、ユーザがディスプレイの画面に触れることで文字を入力したり、操作情報等を入力できるタッチパネル方式のディスプレイであってもよい。
【００２８】
入力操作部（嗜好情報入力部）１８は、ユーザが、カーオーディオシステムやカーナビゲーションシステム本体の各種入力ボタンや、上記のタッチパネル方式のディスプレイ１７等の各種入力デバイスによって入力された情報を受け付けるもので、ここでユーザが入力した嗜好情報が嗜好情報蓄積部１９に蓄積されて嗜好情報の設定が行なわれるようになっている。なお、このとき登録される嗜好情報は、出演者，番組ジャンル，音楽テーマ，放送局等の番組を選ぶ基準となる情報であり、さらに、当該嗜好情報には優先順位を付された複数の属性を有していてもよく、この場合、プレイテーブル作成部１４は、当該優先順位に基づいて前記プレイリストを作成することが可能である。
【００２９】
嗜好情報蓄積部１９は、上記入力操作部１８により入力された嗜好情報を保存するものであり、例えば、嗜好情報を日時毎又は利用者毎に分類して保存できるようになっている。また、後述の変更許容時間についての設定も前記入力操作部１８によって入力され、この嗜好情報蓄積部１９に登録されるようになっている。
再生制御部１２は、チャンネル管理部９によって選択されたチャンネルの放送番組をスピーカ１１及びディスプレイ１７に出力して再生するものである。
【００３０】
なお、上記の系列局情報データベース１，電子番組表蓄積部７，プレイテーブル蓄積部１３，嗜好情報蓄積部１９は、それぞれ、専用のメモリやＨＤＤ等の記憶装置によって実現してもよいし、これらの機能の一部又は全部を兼用する記憶装置によって実現してもよい。また、上記の放送受信監視部３（放送局監視部４），チャンネル管理部９，電子番組表検索部１０，再生制御部１２，プレイテーブル作成部１４，プレイテーブル更新部１５，ＥＰＧデータ再取得部１６としての機能は、例えば本放送受信装置に搭載のＣＰＵやＭＰＵ等のプロセッサ（図示省略）が所定のアプリケーションプログラムを読み取って動作することにより実現される。そのプログラムは、例えば、フレキシブルディスクやＣＤ−ＲＯＭ，ＤＶＤ−ＲＯＭ／ＲＡＭ，磁気ディスク，光磁気ディスク等の記録媒体に格納された形態で上記記憶装置に提供（インストール）されてもよいし、ネットワーク（通信回線）を介してダウンロードする形態で提供されてもよい。
【００３１】
以下、図２〜図４を用いて、上述のごとく構成された本実施形態の放送受信装置の動作（第１態様）について説明する。
（１）第１態様
図２は、本実施形態の放送受信装置の動作（第１態様）を説明するためのフローチャートである。
【００３２】
まず、本放送受信装置の電源がＯＮされることにより、フローが開始される。なお、別処理として、入力操作部１８を通してユーザにより入力された嗜好情報が、嗜好情報蓄積部１９に蓄積（登録）される。また、このとき登録された嗜好情報は、例えば、ユーザや使用時間、曜日毎に保存され、その時の条件により使用する嗜好情報を切り替えることが可能になっている。
【００３３】
そして、第２受信アンテナ５及び放送受信部６により、放送局から番組の内容情報を含むＥＰＧデータを受信し（ステップＳ１）、さらに、嗜好情報蓄積部１９に登録された嗜好情報と受信した当該ＥＰＧデータとを用いて、電子番組表検索部１０が、嗜好情報に合った番組をＥＰＧデータから検索する（ステップＳ２）。このとき、ＥＰＧデータに含まれる、番組の開始及び終了時間、番組のジャンル（音楽番組であれば音楽ジャンル）、出演者（音楽番組であれば音楽アーティスト）等の情報のうち、前記嗜好情報に１つでも該当するものがあれば、当該番組の開始及び終了時間、当該番組が放送されるチャンネル、当該番組に該当する嗜好情報の優先順位等、チャンネル切り替えに必要な情報を記憶するようになっている。
【００３４】
その検索の結果、該当番組が２以上あった場合は、次に、電子番組表検索部１０が、検索した番組の放送時間帯に重複があるかどうかを判定して（ステップＳ３）、重複があると判定した場合には（ステップＳ３のｙｅｓルート）、嗜好情報に付されている優先順位が最も高い番組を採用して、プレイテーブル作成部１４によりプレイリストを作成する（ステップＳ４）。これに対し、電子番組表検索部１０が、重複がないと判定した場合には（ステップＳ３のｎｏルート）、検索した番組をそのまま採用して、プレイテーブル作成部１４によりプレイリストを作成する（ステップＳ５）。
【００３５】
そして、プレイテーブル作成部１４は、作成したプレイリスト上に空白時間（番組が採用されていない時間帯）がないかどうかを判定し（ステップＳ６）、空白時間が無いと判定した場合には(ステップＳ６のｎｏルート)、特別な処理は行なわないが、空白時間があると判定した場合には（ステップＳ６のｙｅｓルート）、次の番組が始まる箇所（タイミング）以外でチャンネルの切り替えが行なわれないようにプレイリストを作成する（ステップＳ８）。即ち、前記空白時間帯に、空白時間以前に選択されていた番組のチャンネルを維持するように、プレイリストを作成するのである。
【００３６】
その後、作成されたプレイリストがプレイテーブル蓄積部１３に保存され（ステップＳ７）、チャンネル管理部９によって、当該プレイリストに従ってチャンネルを変更する制御を行なうことで（ステップＳ９）、再生制御部１２により、スピーカ１１及び／又はディスプレイ１７を通して、プレイリストに従った番組の自動再生が行なわれる。
そして、所定周期（例えば、５〜１０分間隔で）、第１受信アンテナ２及び放送局監視部４が、放送局からの受信電波（受信強度）を監視しており（ステップＳ１０）、受信強度が予め設定される閾値よりも小さくなったかどうかを検出することにより、プレイリスト上の番組が受信可能であるかどうかを判定する（ステップＳ１１）。
【００３７】
その結果、プレイリスト上の番組が受信可能であると判定された場合には（ステップＳ１１のｙｅｓルート）、チャンネル管理部９によって、プレイリスト上の番組を再生できるように（放送切り替え時刻になったら）、チャンネルを切り替え（ステップＳ１２）、プレイリスト上の番組が受信可能でないと判定された場合には（ステップＳ１１のｎｏルート）、処理はステップＳ１へと移行して、放送受信監視部３が、系列局情報データベース１から受信可能な放送局（系列局）を検索し、ＥＰＧ再取得部１６が、当該系列局の放送する番組の内容情報を含んだＥＰＧデータを当該系列局から受信し直して、以降、上記のステップＳ２〜Ｓ７と同等の処理をプレイテーブル更新部１５が実行することにより、当該プレイリストを更新する。
【００３８】
次に、図３を用いて、番組の放送時間帯が重複した場合及びプレイリスト上に空白時間がある場合のプレイリスト作成処理について具体的に説明する。
図３は、電子番組表検索部１０が、ＥＰＧデータからユーザの嗜好に合った番組を検索して、そして、プレイテーブル作成部１４が、ユーザの嗜好情報に基づいてプレイリストを作成するまでのイメージを示した図である。
【００３９】
この図３において、符号２０は、ＥＰＧデータを表しており、図中の網掛け部分の番組は、ユーザの嗜好情報に従って検索された番組を表している。即ち、この例では、１６：００から始まるチャンネル１の番組「大○愛の×××」、１６：４２から始まるチャンネル２の番組「Ｊ−ＰＯＰ  ＴＯＰ２０」、１７：００から始まるチャンネル１の番組「井上☆水の△△」が、ＥＰＧデータから検索されている様子が示されている。
【００４０】
しかしながら、「大○愛の×××」及び「Ｊ−ＰＯＰ  ＴＯＰ２０」の放送時間帯が１６：４２〜１６：４５までの時間帯で重複し、また、「Ｊ−ＰＯＰ  ＴＯＰ２０」及び「井上☆水の△△」の放送時間帯が１７：００〜１７：１０までの時間帯で重複しているため、それぞれどちらか一方の番組を選択して再生する必要がある。そこで、本実施形態では、符号２１で示されるユーザ嗜好情報の優先順位に基づいて、放送時間帯が重複している番組の中から１つの番組を選択するのである。図３に示す例では、「Ｊ−ＰＯＰ」よりも「大○愛」の方が優先順位が高いので、１６：４２〜１６：４５までの重複時間帯では、チャンネル１の「大○愛の×××」を選択し、また、「Ｊ−ＰＯＰ」よりも「井上☆水」の方が優先順位が高いので、１７：００〜１７：１０までの重複時間帯では、チャンネル１の「井上☆水の△△」を選択する。
【００４１】
一方、ユーザの嗜好情報に合う番組が検索されない１７：４０からの時間帯（空白時間）では、プレイテーブル作成部１４は、前記空白時間の前の時間帯に選択されていたチャンネル（チャンネル１）が維持されるようにプレイリストを作成する。
以上の処理の結果、最終的に、符号２２で示されるようなプレイリストが作成される。即ち、「Ｊ−ＰＯＰ  ＴＯＰ２０」という番組は、本来、１６：４２〜１７：１０まで放送される番組であるが、本実施形態では、電子番組表検索部１０により、この番組よりも優先順位の高い番組（「大○愛の×××」、「井上☆水の△△」）を選択するため、このプレイリストでは、１６：４５〜１７：００までの放送時間となっている。また、ユーザの嗜好情報に合った番組が検索されない１７：４０〜からの時間帯においては、それまで選択していたチャンネル（チャンネル１）を維持するようにプレイリストを作成するため、チャンネル１の「スポーツ」番組を受信するようなプレイリストとなっている。
【００４２】
したがって、チャンネル管理部９及び再生制御部１２がこのプレイリストに従って動作することにより、１６：００にはチャンネル１が、１６：４５にはチャンネル２が、１７：００にはチャンネル１がそれぞれ選択されることで、１６：００〜１６：４５まではチャンネル１の「大○愛の×××」が受信、再生され、１６：４５〜１７：００まではチャンネル２の「井上☆水の△△」が受信、再生され、１７：４０以降は「スポーツ」番組が受信、再生されることになる。
【００４３】
以上の処理により、利用者の嗜好情報に基づいて利用者の嗜好に応じたプレイリストがＥＰＧデータから自動作成され、このプレイリストに従って受信する放送が自動的に切り替えられて番組が再生されるので、車両などで移動中においても、利用者は、チャンネル切り替え操作に気を使う必要がなくなり、運転環境の快適性の向上を図ることができる。
さらに、利用者の嗜好情報に優先順位をつけてプレイリストを作成することもできるので、複数の番組の放送時間帯が重複しているような場合でも、利用者の嗜好に合った番組を自動的に選択できるので、検索された複数の番組の中からどの番組を選択するかについてユーザに問い合わせる処理が不要となり、利用者は、番組選択のために煩わしい手動操作をすることなく嗜好に合った番組を視聴できる。
【００４４】
また、利用者の嗜好に合った番組が検索されない時間帯（空白時間）では、次の番組が再生される時間になるまでチャンネルを変更することなく（選択されているチャンネルを維持して）放送を受信することもできるので、不必要なチャンネル変更操作を抑制することができ、利用者の手動操作をさらに減少させることができる。
さらに、作成したプレイリストを蓄積しておくこともできるので、利用者あるいは利用時間帯等の条件に応じてプレイリストを切り替えて放送を受信することもできる。
【００４５】
次に、図４を用いて、車両などの移動によって、放送局監視部４が、プレイリスト上の番組が受信不可であると判定した場合のプレイリスト作成処理について具体的に説明する。
図４は、プレイリスト上の番組が受信できない場合に、系列局から新たなＥＰＧデータを受信してプレイリストを更新する手順を示したイメージを示した図である。なお、この図４において、枠１００及び枠２００内において、「受信機」は本例の放送受信装置を指し、「記憶装置」は、前記の系列局情報データベース１や蓄積部７，１３，１９等としての機能を果たす記憶装置を指している。
【００４６】
この図４において、枠１００中に示すように、ある放送局２３（「ＦＭ×」）から放送を受信できている場合には、符号２１で示される優先順位設定（嗜好情報）に基づいて上述のごとく作成されたプレイリスト２５に従ってチャンネルを自動切り替えして放送（番組）を受信、再生する。
しかし、車両などの移動により、放送局２３からの放送を受信できなくなった（放送局２３からの放送電波の受信強度が所定の強度よりも小さくなった）場合（枠１００において「受信機」及び「記憶装置」が点線で示されているのがこの受信不能状態を表している）には、図４中に枠２００で示すごとく、放送局検索部３が、系列局情報データベース１から現在受信可能な放送局（例えば、放送局２３の系列局である放送局（「ＦＭ○○」））２４を検索して、さらに、ＥＰＧデータ再取得部１６が、その系列局２４から新しいＥＰＧデータを受信することで、プレイテーブル更新部１５により、前記嗜好情報と前記優先順位設定２１とに基づいて当該プレイリスト２５をプレイリスト２６のように更新する。これにより、チャンネル管理部９が、前記プレイリスト２６に従ってチャンネルを切り替えることで、再生制御部１２によりプレイリスト２６上の順序で番組が、順次、受信、再生される。
【００４７】
図４に示される例では、更新後のプレイリスト２６において、ＡＭ８：００〜ＡＭ９：００の時間帯で放送局２３で放送される番組と同じ番組（例えば、番組名：「△△」）が放送されるが、ＡＭ９：００〜ＡＭ１１：００の時間帯で放送局２３で放送される番組（例えば、番組名：「水の世界」）は受信することができないので、放送局２４でその時間帯に放送されるユーザの嗜好情報に合った番組（例えば、番組名：「Ｊ−ＰＯＰ◎◎」）が自動的に検索されてプレイリスト２６に登録されることで、当該番組が自動的に受信、再生されることになる。
【００４８】
以上の処理により、移動に伴って現在位置から受信可能な放送局が変化した場合、現在位置から受信可能な放送局（例えば、系列局）を監視しておくこともでき、作成済みのプレイリストに登録されている番組を受信できなくなった場合に、周辺の放送局を検索してＥＰＧデータを再取得して利用者の嗜好情報に応じてプレイリストを再作成（更新）するようにできるので、放送局のカバーエリアが異なる地域間を移動する場合であっても、当該受信可能な放送局への周波数切り替えをスムースに行なって、利用者の嗜好に合った放送を自動的に受信することができる。
【００４９】
なお、このとき、利用者が嗜好情報として前記放送局を登録していた場合は、上述したようにプレイリストを再作成することもできるが、前記放送局の系列局から検索される番組の優先順位を低くしてプレイリストを再作成するようにもでき、これにより、例えば、前記放送局からの放送が受信不能である場合には、嗜好情報としての前記放送局の優先順位をその他の嗜好情報の優先順位よりも一時的に低くして、プレイリストを再作成することが可能となるので、利用者の手動操作（嗜好情報の変更操作）を抑制することができる。
【００５０】
（２）第２態様
次に、図５及び図６を用いて、図１により前述したごとく構成された本実施形態の放送受信装置の動作（第２態様）を説明する。なお、以下では、プレイテーブル作成部１４が、放送時間帯の重複している複数の番組を、その重複時間に応じて自動的に選択する動作態様について説明する。
【００５１】
図５は、本実施形態の放送受信装置の動作（第２態様）を説明するためのフローチャートである。
まず、本放送受信装置の電源がＯＮされることにより、フローが開始される。なお、別処理として、入力操作部１８を通してユーザにより入力された嗜好情報が、嗜好情報蓄積部１９に蓄積（登録）される。また、このとき登録された嗜好情報は、例えば、ユーザや使用時間、曜日毎に保存され、その時の条件により使用する嗜好情報を切り替えることが可能になっている。
【００５２】
そして、第２受信アンテナ５及び放送受信部６により、ある放送局から番組の内容情報を含むＥＰＧデータを受信し（ステップＳ１３）、さらに、上述のごとく嗜好情報蓄積部１９に登録された嗜好情報と受信したＥＰＧデータとを用いて、電子番組表検索部１０が、嗜好情報に合った番組をＥＰＧデータから検索（ピックアップ）する（ステップＳ１４）。
【００５３】
次に、電子番組表検索部１０が、検索した番組の放送時間帯に重複があるかどうかを判定して（ステップＳ１５）、重複がないと判定した場合には（ステップＳ１５のｎｏルート）、検索した番組をそのまま採用して、プレイテーブル作成部１４によりプレイリストを作成し（ステップＳ２０）、重複があると判定した場合には（ステップＳ１５のｙｅｓルート）、プレイテーブル作成部１４が、その重複箇所についてどのチャンネルのどの番組がどの位の時間だけ重複しているのかをチェックする（ステップＳ１６）。
【００５４】
そして、プレイテーブル作成部１４は、番組の放送時間が重複している時間について、ユーザによって予め設定された変更許容時間よりも小さいかどうかを判定し（ステップＳ１７）、前記重複時間が所定の変更許容時間（例えば、５分等）よりも小さいと判定した場合には（ステップＳ１７のｙｅｓルート）、先行している番組と後続番組とが重複する時間帯において、後続番組を受信（チャンネル切り替え）するようにプレイリストを作成する（ステップＳ１８）。
【００５５】
これに対し、前記重複時間が所定の変更許容時間以上であると判定した場合には（ステップＳ１７のｎｏルート）、プレイテーブル作成部１４は、嗜好情報に付された優先順位の属性を無視して、複数の番組の重複する時間帯においても先行している番組の放送の受信、再生を維持する（チャンネル切り替えしない）ようにプレイリストを作成する（ステップＳ２１）。
【００５６】
その後、プレイテーブル作成部１４は、全ての重複箇所（複数の番組の放送が重複している時間帯）について、上記の変更許容時間に関するチェックを行なったかどうかを判定し（ステップＳ２０）、全ての重複箇所をチェックしていないと判定した場合には（ステップＳ１９のｎｏルート）、全ての重複箇所をチェックするまで（ステップＳ１９でｙｅｓと判定されるまで）上記ステップＳ１６，Ｓ１７，Ｓ１８，Ｓ２１の処理を繰り返す。
【００５７】
そして、全ての重複箇所についてチェックしたと判定した場合には（ステップＳ１９のｙｅｓルート）、さらに、プレイテーブル作成部１４は、作成したプレイリスト上に空白時間がないかどうかを判定し（ステップＳ２２）、空白時間が無いと判定した場合には(ステップＳ２２のｙｅｓルート)、特別な処理を行なわないが、空白時間があると判定した場合には（ステップＳ２２のｎｏルート）、次の番組が始まる箇所（タイミング）以外でチャンネルの切り替えが行なわれないようにプレイリストを作成する（ステップＳ２３）。
【００５８】
その後、作成されたプレイリストがプレイテーブル蓄積部１３に保存され（ステップＳ２４）、チャンネル管理部９及び再生制御部１２が当該プレイリストに従って動作することによって、当該プレイリストに従ってチャンネル変更制御が実行され（ステップＳ２５）、スピーカ１１及び／又はディスプレイ１７を通して、当該プレイリストに応じた番組が自動的に受信、再生される。
【００５９】
そして、所定周期（例えば、５〜１０分間隔で）、第１受信アンテナ２及び放送局監視部４が、放送局からの受信電波（受信強度）を監視しており（ステップＳ２６）、受信強度が予め設定される閾値よりも小さくなったかどうかを検出することにより、プレイリスト上の番組が受信可能であるかどうかを判定する（ステップＳ２７）。
その結果、プレイリスト上の番組が受信可能であると判定された場合には（ステップＳ２７のｙｅｓルート）、チャンネル管理部９によって、プレイリスト上の番組を再生できるように（放送切り替え時刻になったら）、チャンネルを切り替え（ステップＳ２８）、プレイリスト上の番組が受信可能でないと判定された場合には（ステップＳ２７のｎｏルート）、処理はステップＳ１３へと移行して、放送受信監視部３が、系列局情報データベース１から受信可能な放送局（系列局）を検索し、ＥＰＧ再取得部１６が、当該系列局の放送する番組の内容情報を含んだＥＰＧデータを当該系列局から受信し直して、以降、上記のステップＳ１４〜Ｓ２４と同等の処理をプレイテーブル更新部１５が実行することにより、当該プレイリストを更新する。
【００６０】
次に、図６を用いて、本第２態様の具体例（番組の放送時間帯が重複した場合のプレイリスト作成処理）について具体的に説明する。
図６は、電子番組表検索部１０が、ＥＰＧデータからユーザの嗜好に合った番組を検索して、そして、プレイテーブル作成部１４が、ユーザの嗜好情報に基づいてプレイリストを作成するまでのイメージを示した図である。
【００６１】
図６において、符号２７は、ＥＰＧデータを表しており、図中の網掛け部分の番組は、ユーザの嗜好情報に従って検索された番組を表している。即ち、この例では、１６：００から始まるチャンネル１の番組「大○愛の×××」、１６：４２から始まるチャンネル２の番組「Ｊ−ＰＯＰ  ＴＯＰ２０」、１７：００から始まるチャンネル１の番組「井上☆水の△△」、１７：４０から始まるチャンネル２の番組「Ｊ−ＰＯＰ  ＴＯＰ３０」が、電子番組表検索部１０によって、ＥＰＧデータから選択（ピックアップ）されている様子が示されている。
【００６２】
しかしながら、「大○愛の×××」及び「Ｊ−ＰＯＰ  ＴＯＰ２０」の放送時間帯が１６：４２〜１６：４５までの時間帯で重複し、また、「井上☆水の△△」及び「Ｊ−ＰＯＰ  ＴＯＰ３０」が１７：４０〜１７：５５までの時間帯で重複しているため、それぞれどちらか一方の番組を選択して受信する必要がある。そこで、プレイテーブル作成部１４は、符号２８で示される変更許容時間設定に基づいて放送時間帯が重複している複数の番組の中から１つの番組を選択する。なお、ここでの変更許容時間は、例えば「５分以内」に設定されているものとする。
【００６３】
したがって、図６で示す例では、チャンネル１の「大○愛の×××」とチャンネル２の「Ｊ−ＰＯＰ  ＴＯＰ２０」との重複時間が３分間であり、これは、本例での変更許容時間の５分よりも小さいので、この重複時間は、番組終了直前の時間帯等、ユーザにとって視聴したい部分が終了している時間帯であるものと考え、プレイテーブル作成部１４は、チャンネル２の「Ｊ−ＰＯＰ  ＴＯＰ２０」が開始されるタイミング、即ち、１６：４２にチャンネルを１から２へと変更するようなプレイリストを作成する。
【００６４】
一方、チャンネル１の「井上☆水の△△」とチャンネル２の「Ｊ−ＰＯＰ  ＴＯＰ３０」との重複時間は２０分間であり、これは、本例での変更許容時間の５分よりも大きいので、先行している番組の受信を継続し、先行する番組が終了すると同時に後続番組にチャンネルを切り替えるようなプレイリストを作成する。なお、本例では、時刻が１７：５５となったときに、変更許容時間の５分よりも番組の重複時間の方が小さくさるので、この時点でチャンネルをチャンネル１から２へと変更するように、プレイリストを作成することもできる。
【００６５】
以上の処理により、最終的に、符号２９で示されるようなプレイリストが作成されることになる。即ち、「大○愛の×××」は、本来の放送時間帯である１６：４２まで受信せずに、１６：４２からは「Ｊ−ＰＯＰ  ＴＯＰ２０」が受信、再生され、また、例えば、ユーザの嗜好情報による優先順位が、「井上☆水」よりも「Ｊ−ＰＯＰ」の方が大きい場合でも、１７：４０〜１８：００の時間帯で「井上☆水の△△」から「Ｊ−ＰＯＰ  ＴＯＰ３０」へのチャンネル変更は行なわないようにプレイリスト２９が作成されることになる。なお、上述したように、番組の重複時間が変更許容時間よりも小さくなった時点で、「井上☆水の△△」から「Ｊ−ＰＯＰ  ＴＯＰ３０」へとチャンネル変更を行なうようなプレイリストを作成することもできる。
【００６６】
したがって、チャンネル管理部９及び再生制御部１２がこのプレイリスト２９に従って動作することにより、１６：００にはチャンネル１が、１６：４２にはチャンネル２が、１７：００にはチャンネル１が、１８：００にはチャンネル２がそれぞれ選択されることで、１６：００〜１６：４２まではチャンネル１の「大○愛の×××」が受信、再生され、１６：４２〜１７：００まではチャンネル２の「Ｊ−ＰＯＰ  ＴＯＰ２０」が受信、再生され、１７：００〜１８：００まではチャンネル１の「井上☆水の△△」が受信、再生され、１８：００以降はチャンネル２の「Ｊ−ＰＯＰ  ＴＯＰ３０」が受信、再生されることになる。
【００６７】
以上の処理により、第１態様での効果に加えて、番組が重複している時間帯の長さに応じてプレイリストの作成方法を変更することもできるので、先行番組の終了間際の部分は利用者にとって冗長な番組内容であると判断して、例えば、番組終了間際の（スポンサー紹介などの）利用者にとって不要と感じられる放送部分にさしかかったときに、利用者が放送受信装置を操作することなく自動的にチャンネルを変えることができ、利用者にとっての利便性を向上させることができる。
【００６８】
また、先行番組と後続番組との重複時間が、変更許容時間よりも長い場合は、先行番組が放送時間が終了してから後続番組にチャンネル切り替えを行なうようなプレイリストも作成することができ、さらに、前記重複時間が変更許容時間よりも短くなった時点で、後続番組にチャンネル切り替えを行なうようにプレイリストを作成することもできるので、利用者にとって自由度の高いプレイリスト作成を提供することができる。
【００６９】
（３）第３態様
次に、図７及び図８を用いて、上述のごとく構成された本実施形態の放送受信装置の動作（第３態様）を説明する。なお、以下では、利用者が、嗜好情報の入力を容易に行なえるように、受信したＥＰＧデータを用いて嗜好情報の入力、登録動作について説明する。
図７は、本実施形態の放送受信装置の動作（第３態様）を説明するためのフローチャートである。
【００７０】
まず、本放送受信装置の電源がＯＮされることにより、フローが開始され、第２受信アンテナ５及び放送受信部６により、放送局から番組の内容情報を含むＥＰＧデータを受信し（ステップＳ２９）、再生制御部１２により、ディスプレイ１７を通して、例えば、図８に示すような嗜好情報入力画面３０が表示される（ステップＳ３０）。
そして、利用者により嗜好情報選択画面３０から番組が選択（図８の符号３２で示す入力）がなされた場合（ステップＳ３１のｙｅｓルート）、再生制御部１２により、ＥＰＧデータからその番組に関する情報が抽出されて、例えば、図８に示すような嗜好情報入力画面３３が表示される（ステップＳ３２）。
【００７１】
さらに、入力操作部１８を通してユーザにより図８に示すような入力３４，３５が行なわれることでユーザにより選択された嗜好情報が、嗜好情報蓄積部１９に蓄積（登録）される（ステップＳ３３）。また、、このとき登録された嗜好情報は、例えば、ユーザや使用時間、曜日毎に保存され、その時の条件により使用する嗜好情報を切り替えることが可能になっている。
【００７２】
また、利用者により嗜好情報選択画面３０から番組が選択されず（ステップＳ３１のｎｏルート）、放送局が選択（図８の符号３１で示す入力）がなされた場合（ステップＳ３４のｙｅｓルート）、ユーザにより選択された嗜好情報（放送局）が、嗜好情報蓄積部１９に蓄積（登録）される（ステップＳ３５）が、放送局が選択されなかった場合（ステップＳ３４のｎｏルート）、再生制御部１２によりユーザ手動入力用の表示画面（図示省略）が表示され、入力操作部１８を通してユーザに嗜好情報を手動で入力させるようにする（ステップS３６）。
【００７３】
そして、嗜好情報蓄積部１９に登録された嗜好情報と受信した当該ＥＰＧデータとを用いて、電子番組表検索部１０が、嗜好情報に合った番組をＥＰＧデータから検索する（ステップＳ３７）。このとき、ＥＰＧデータに含まれる、番組の開始及び終了時間、番組のジャンル（音楽番組であれば音楽ジャンル）、出演者（音楽番組であれば音楽アーティスト）等の情報のうち、前記嗜好情報に１つでも該当するものがあれば、当該番組の開始及び終了時間、当該番組が放送されるチャンネル、当該番組に該当する嗜好情報の優先順位等、チャンネル切り替えに必要な情報を記憶するようになっている。
【００７４】
その検索の結果、該当番組が２以上あった場合は、次に、電子番組表検索部１０が、検索した番組の放送時間帯に重複があるかどうかを判定して（ステップＳ３８）、重複があると判定した場合には（ステップＳ３８のｙｅｓルート）、嗜好情報に付されている優先順位が最も高い番組を採用して、プレイテーブル作成部１４によりプレイリストを作成する（ステップＳ３９）。これに対し、電子番組表検索部１０が、重複がないと判定した場合には（ステップＳ３８のｎｏルート）、検索した番組をそのまま採用して、プレイテーブル作成部１４によりプレイリストを作成する（ステップＳ４０）。
【００７５】
そして、プレイテーブル作成部１４は、作成したプレイリスト上に空白時間（番組が採用されていない時間帯）がないかどうかを判定し（ステップＳ４１）、空白時間が無いと判定した場合には(ステップＳ４１のｎｏルート)、特別な処理は行なわないが、空白時間があると判定した場合には（ステップＳ４１のｙｅｓルート）、次の番組が始まる箇所（タイミング）以外でチャンネルの切り替えが行なわれないようにプレイリストを作成する（ステップＳ４２）。即ち、前記空白時間帯に、空白時間以前に選択されていた番組のチャンネルを維持するように、プレイリストを作成するのである。
【００７６】
その後、作成されたプレイリストがプレイテーブル蓄積部１３に保存され（ステップＳ４３）、チャンネル管理部９によって、当該プレイリストに従ってチャンネルを変更する制御を行なうことで（ステップＳ４４）、再生制御部１２により、スピーカ１１及び／又はディスプレイ１７を通して、プレイリストに従った番組の自動再生が行なわれる。
そして、所定周期（例えば、５〜１０分間隔で）、第１受信アンテナ２及び放送局監視部４が、放送局からの受信電波（受信強度）を監視しており（ステップＳ４５）、受信強度が予め設定される閾値よりも小さくなったかどうかを検出することにより、プレイリスト上の番組が受信可能であるかどうかを判定する（ステップＳ４６）。
【００７７】
その結果、プレイリスト上の番組が受信可能であると判定された場合には（ステップＳ４６のｙｅｓルート）、チャンネル管理部９によって、プレイリスト上の番組を再生できるように（放送切り替え時刻になったら）、チャンネルを切り替え（ステップＳ４７）、プレイリスト上の番組が受信可能でないと判定された場合には（ステップＳ４６のｎｏルート）、処理はステップＳ２９へと移行して、放送受信監視部３が、系列局情報データベース１から受信可能な放送局（系列局）を検索し、ＥＰＧ再取得部１６が、当該系列局の放送する番組の内容情報を含んだＥＰＧデータを当該系列局から受信し直して、以降、上記のステップＳ３０〜Ｓ４３と同等の処理をプレイテーブル更新部１５が実行することにより、当該プレイリストを更新する。なお、上述したようにプレイリストを更新するような場合、ユーザによる嗜好情報の再入力を省略できるようにしてもよく、その場合、嗜好情報蓄積部１９に登録済みの嗜好情報によりプレイリストが更新される。
【００７８】
次に、図８を用いて、本第３態様の具体例（嗜好情報の簡易入力処理）について具体的に説明する。
図８は、ユーザが、ＥＰＧデータから番組及び／又は放送局を選択して、嗜好情報の登録を行なうまでのイメージを示した図である。
図８において、符号３０は、再生制御部１２により、ＥＰＧデータを基に作成された嗜好情報選択画面を表しており、さらに、図中の符号３１は、ユーザにより、チャンネル２が放送局として選択される様子を、符号３２は、ユーザにより、番組「Ｊ−ＰＯＰ  ＴＯＰ２０」が選択される様子を表している。
【００７９】
まず、ユーザが、番組を選択する場合について説明する。
ユーザが、嗜好情報選択画面３０から番組「Ｊ−ＰＯＰ  ＴＯＰ２０」を選択すると、再生制御部１２により、画面は嗜好情報登録画面３３へと遷移される。このとき、ユーザが選択した番組（「Ｊ−ＰＯＰ  ＴＯＰ２０」）に関する情報が、再生制御部１２により、ＥＰＧデータから抽出され、嗜好情報登録画面３３に嗜好情報として表示されるようになっている。
【００８０】
そして、ユーザは、例えば、「全部登録ボタン」を押下することで、嗜好情報登録画面３３に表示されている全ての嗜好情報を嗜好情報蓄積部１９に登録することもできるし（符号３４の処理）、また、嗜好情報登録画面３３に表示されている嗜好情報を個別に選択することにより、各嗜好情報を選択的に嗜好情報蓄積部１９へ登録することもできる（符号３５の処理）。
【００８１】
したがって、例えば、上述のように、ユーザが番組「Ｊ−ＰＯＰ  ＴＯＰ２０」を選択し、さらに、全部登録ボタンを押下した場合には、ＥＰＧデータが有する「Ｊ−ＰＯＰ  ＴＯＰ２０」に関する情報全て、即ち、番組名として「Ｊ−ＰＯＰ  ＴＯＰ２０」、番組ジャンルとして「音楽」、その下位ジャンルとして「Ｊ−ＰＯＰ」、出演者として「○美」，「□郎」，「▽子」，「☆彦」という嗜好情報が、嗜好情報蓄積部１９に登録される。
【００８２】
次に、ユーザが、放送局を選択する場合について説明する。
ユーザが、嗜好情報選択画面３０から放送局「チャンネル２」を選択すると、上記のような画面遷移は行なわれずに、「チャンネル２」が嗜好情報として嗜好情報蓄積部１９に登録される。
したがって、この場合、例えば、「チャンネル２」で放送される番組全てが嗜好情報として嗜好情報蓄積部１９に登録されることにより、電子番組表検索部１０は、チャンネル２で放送される番組を優先的に検索するので、チャンネル２で放送される番組を主に受信、再生するようなプレイリストを作成することもできる。
【００８３】
以上の処理により、第１，２態様での効果に加えて、ユーザが嗜好情報を入力する際に、ＥＰＧデータから番組及び／又は放送局に関する情報を抽出して嗜好情報を登録できるので、ユーザによる手動入力をさらに抑制することができ、利用者にとっての利便性を向上させることができる。
以上、本発明の各実施形態について詳細に説明したが、本発明は上記の実施形態に限定されるものではなく、本発明の要旨を逸脱しない範囲において任意に変形して実施することができる。
【００８４】
例えば、上記の実施形態では、放送局検索部３は、放送電波の受信感度に基づいて現在受信可能な放送局を検索するように動作しているが、位置情報に基づいて現在受信可能な放送局を検索することもできる。即ち、系列局情報データベース１に、放送局から受信される放送電波の周波数と当該放送局のカバーエリア（サービスエリア）とを対応させたカバーエリア情報を保持させておいて、放送局検索部３が、カーナビゲーションシステムや携帯端末などに搭載されるＧＰＳ（Global Positioning System）から得られる現在位置情報（例えば、自車両の現在位置や自端末の現在位置に関する情報）と系列局情報データベース１に保持される前記カバーエリア情報とに基づいて現在受信可能な放送局を検索するようにすることも可能である。
【図面の簡単な説明】
【００８５】
【図１】本発明の一実施形態に係る放送受信装置の要部の構成を示すブロック図である。
【図２】本発明の一実施形態の第１態様としての放送受信装置の動作を説明するためのフローチャートである。
【図３】本発明の一実施形態の第１態様としての放送受信装置の動作を説明するための図である。
【図４】本発明の一実施形態の第１態様としての放送受信装置の動作を説明するための図である。
【図５】本発明の一実施形態の第２態様としての放送受信装置の動作を説明するためのフローチャートである。
【図６】本発明の一実施形態の第２態様としての放送受信装置の動作を説明するための図である。
【図７】本発明の一実施形態の第３態様としての放送受信装置の動作を説明するためのフローチャートである。
【図８】本発明の一実施形態の第３態様としての放送受信装置の動作を説明するための図である。
【符号の説明】
【００８６】
１  系列局情報データベース（ＤＢ）
２  第１受信アンテナ
３  放送受信監視部（放送局検索部）
４  放送局監視部
５  第２受信アンテナ
６  放送受信部
７  電子番組表蓄積部
８  時計
９  チャンネル管理部（受信放送制御部）
１０  電子番組表検索部
１１  スピーカ
１２  再生制御部
１３  プレイテーブル蓄積部
１４  プレイテーブル作成部
１５  プレイテーブル更新部
１６  ＥＰＧデータ再取得部
１７  ディスプレイ
１８  入力操作部（嗜好情報入力部）
１９  嗜好情報蓄積部
【図１】
2007181104.tif 000003
【図２】
2007181104.tif 000004
【図３】
2007181104.tif 000005
【図４】
2007181104.tif 000006
【図５】
2007181104.tif 000007
【図６】
2007181104.tif 000008
【図７】
2007181104.tif 000009
【図８】
2007181104.tif 000010